(57)【要約】【課題】反復して使用することができ、かつ多くの装着者の個人情報に関する情報を含めることができるヘルメットを提供する。【解決手段】装着者の個人情報に関する情報を含む一次元コードまたは二次元コードを有するヘルメットを提供する。【選択図】図１
0003216947.tif 000002
【実用新案登録請求の範囲】
【請求項１】
装着者の個人情報に関する情報を含む一次元コードまたは二次元コードを有するヘルメット。
【請求項２】
装着者の個人情報に関する情報を含む二次元コードを有するヘルメット。
【請求項３】
前記個人情報は、前記装着者の出退勤を管理するための前記装着者の氏名または社員番号を含む、請求項１または２に記載のヘルメット。
【請求項４】
前記個人情報は、前記装着者の病歴または服薬履歴に関する情報を含む、請求項１〜３のいずれか１つに記載のヘルメット。
【請求項５】
前記個人情報に関する情報は、前記個人情報が保存されている場所に関する情報である、請求項１〜４のいずれか１つに記載のヘルメット。
【考案の詳細な説明】
【技術分野】
【０００１】
本考案は、ヘルメットに関する。
【背景技術】
【０００２】
頭部を衝撃などから保護するためにかぶる防護帽（以下、ヘルメットと称する）は、頭部を保護するという目的上、救護措置を行う際に必要となる装着者の氏名や血液型などの情報をヘルメット上に表示するという措置がしばしば行われている。
例えば、特許文献１では、個人情報を必要となるまで秘匿にしておくことができるヘルメット用ネームシールに関する考案が提案されている。
【先行技術文献】
【特許文献】
【０００３】
【特許文献１】特開２０１６−２０４７６５号公報
【考案の概要】
【考案が解決しようとする課題】
【０００４】
しかしながら、特許文献１に記載のヘルメット用ネームシールは、一度剥がしてしまうと、二度と使えないという問題がある。また、シールに記載できる情報量が少ないという問題がある。
【課題を解決するための手段】
【０００５】
本考案の一態様のヘルメットは、装着者の個人情報に関する情報を含む一次元コードまたは二次元コードを有するものである。
【考案の効果】
【０００６】
本考案の一態様のヘルメットによれば、反復して使用することができ、かつ多くの装着者の個人情報に関する情報を含めることができる。
【図面の簡単な説明】
【０００７】
【図１】本考案の一実施形態にかかるヘルメットの背面図である。
【図２】本考案の一実施形態にかかるヘルメットの正面図である。
【図３】本考案の一実施形態にかかるヘルメットの側面図である。
【図４】本考案の一実施形態にかかるヘルメットの底面図である。
【図５】本考案の一実施形態にかかるヘルメットの内部構造を示す概略図である。
【考案を実施するための形態】
【０００８】
以下、本考案の一実施形態にかかるヘルメット１を、図１〜５を用いて説明する。
図１〜５のうち、図１は背面図であり、図２は正面図であり、図３は側面図であり、図４は底面図であり、図５は内部構造を示す概略図である。
【０００９】
本考案の一実施形態にかかるヘルメット１は、装着者の個人情報に関する情報を含むコード１００を有するものである。
【００１０】
ヘルメット１が有するコード１００は、コードリーダ（図示せず）によって読み込まれることにより、ヘルメット１の装着者の個人情報に関する情報を提供することができる。
【００１１】
本考案の一実施形態にかかるヘルメット１は、本来、装着者の頭部を保護することを目的とするものであるところ、ヘルメット１は、コード１００において、装着者の個人情報に関する情報を含むため、装着者が危険に見舞われた際に、装着者への救護や治療、および装着者の親族への連絡などを容易にする働きがある。
【００１２】
また、装着者の個人情報に関する情報は、コード１００に含まれていることによりヘルメット１の目視では確認できない。したがって、ヘルメット１は、個人情報に関する情報をヘルメット１に持たせるということと、個人情報を保護することを両立している。
さらに、ヘルメット１は、コード１００に個人情報に関する情報を持たせているため、個人情報に関する情報を通常の文字で直接記載する場合と比べてより多量の情報を含めることができる、コード１００を繰り返し利用可能であるなどの利点がある。
【００１３】
なお、本明細書において、ヘルメットとは、頭部を衝撃などから保護するためにかぶる防護帽のことをいう。
ヘルメット１は、飛来物、落下物、及び障害物などが装着者の頭部にぶつかる際や、装着者の転倒や墜落により装着者が頭部を壁や床などにぶつける際に、装着者の頭部を保護する役割を有するものである。
【００１４】
コード１００に含まれる装着者の個人情報に関する情報としては、特に制限されないが、例えば、ヘルメットの製造年月、素材、製造元、装着者の氏名、年齢、性別、住所、連絡先、血液型、病歴、または服薬履歴などに関する情報が挙げられる。
【００１５】
ここで、装着者の氏名、住所、連絡先、血液型、病歴、および服薬履歴に関する情報が含まれるコード１００を有するヘルメット１を装着した装着者が、工場内で作業している場合を例にして、ヘルメット１の有用性を説明する。
【００１６】
ヘルメット１の装着者は、工場内において落下物がヘルメット１を介して装着者の頭部に損傷を与えたとする。その場合、ヘルメットの装着者を救護する救護者は、まずは装着者の容態を確認して、必要な場合には救急連絡することで救護者を呼ぶ。その後、一般的には、救護者はヘルメット１の装着者の状態などを装着者の家族などに連絡する。その際に、ヘルメット１が有するコード１００を、手持ちのスマートフォン内のコードリーダアプリを用いて読み込むことで、ヘルメット１の装着者の連絡先および住所を容易に知ることができる。つまり、装着者が危険に見舞われたことを装着者の家族などに知らせることが容易となる。
【００１７】
また、その後救護者が駆けつけて輸血を行う際に、手持ちのスマートフォン内のコードリーダアプリを用いてコード１００を読み込むことで、装着者の血液型を容易に知ることができるため、輸血の治療が円滑かつ効率的に行うことができる。そのため、引いては装着者の救命率の向上にもつながる。
【００１８】
さらに、装着者が病院に運ばれて、治療を行う場合でも、手持ちのスマートフォン内のコードリーダアプリを用いてコード１００を読み込むことで、装着者の病歴および服薬履歴を容易に知ることができる。これにより、治療者は、より適切な治療を装着者に施すことができる。
例えば、コード１００に、装着者が糖尿病に罹患しているという病歴が含まれている場合には、装着者は感染症リスクが高い状態である。そのようなことを、治療者は、コード１００により、治療前に知ることができるため、装着者の感染症に注意して治療をすることで、装着者の感染症を防ぐことができる。
【００１９】
さらに、コード１００に、装着者が糖尿病の治療薬を服薬しているという服薬履歴が含まれている場合には、治療者は、そこから装着者が糖尿病に罹患していることや、感染症リスクが高い状態であることがわかる。また、治療者は、糖尿病の治療薬（服薬履歴に含まれていた治療薬）と組み合わせることが認められていない薬剤を治療に用いることを未然に防ぐことができる。
【００２０】
コード１００に、装着者の氏名や社員番号などの情報を含めることで、ヘルメット１を装着者の出退勤の管理に使うこともできる。
コード１００に、ヘルメットの製造年月日、素材、製造元などの情報を含めることで、ヘルメット１の消費期限の管理に使うこともできる。
【００２１】
コード１００は、一次元コードでもよく、二次元コードでもよいが、より多くの情報を含むことができるという点において、二次元コードであることが好ましい。
【００２２】
一次元コードは、バーコードとも呼ばれる。
一次元コードとしては、特に制限されないが、例えば、ＪＡＮ、ＥＡＮ、ＵＰＣ、ＩＴＦ、ＣＯＤＥ３９、ＣＯＤＥ１２８、ＮＷ−７、カスタマバーコードなどが挙げられる。
【００２３】
二次元コードとしては、小さな正方形を上下左右に配列させたマトリックス式（マトリックスコード）と、１次元バーコードを上下に複数重ねたスタック式（スタックコード）がある。
【００２４】
マトリックス式の二次元コードとしては、特に制限されないが、例えば、ＱＲコード（登録商標）、マイクロＱＲコード、ＳＰコード、ベリコード（ＶｅｒｉＣｏｄｅ）、マキシコード（ＭａｘｉＣｏｄｅ）、ＣＰコード、ＤａｔａＭａｔｒｉｘ、ＤａｔａＭａｔｒｉｘ  ＥＣＣ２００、Ｃｏｄｅ１、ＡｚｔｅｃＣｏｄｅ、インタクタコード、カードｅ、カメレオン・コードなどが挙げられる。
【００２５】
スタック式の二次元コードとしては、特に制限されないが、例えば、ＰＤＦ４１７、マイクロＰＤＦ４１７、Ｃｏｄｅ４９、Ｃｏｄｅ１６Ｋ、Ｃｏｄａｂｌｏｃｋ、ＳｕｐｅｒＣｏｄｅ、Ｕｌｔｒａ  Ｃｏｄｅ、ＲＳＳ  Ｃｏｍｐｏｓｉｔｅ、ＡｚｔｅｃＭｅｓａが挙げられる。
【００２６】
ＱＲコード（登録商標）は、コードリーダの普及率が高く、スマートフォン用のアプリの数も非常に多いことから、読み込みが容易であるという点で、ヘルメット１に好適である。
【００２７】
コード１００には、装着者の個人情報が直接含まれていても良いが、例えば、他のサーバ（図示せず）内に装着者の個人情報を保存しておき、コード１００には装着者の個人情報が保存されている場所に関する情報を保存しておいてもよい。
コードリーダは、コード１００を読み込んで得た情報を、保存しておいてもよい。例えば、コード１００をコードリーダで読み込んだことで得られる情報を、コードリーダ内に蓄積することで、ヘルメット１の装着者の出退勤情報の管理に利用することができる。
【００２８】
例えば、ヘルメット１に、サーバのＩＰアドレスを記録したＱＲコードを印字しておき、手持ちのスマートフォンのＱＲコードリーダを用いて、ネットワークを介してサーバにアクセスし、そこで装着者の個人情報を取得することもできる。
【００２９】
サーバ内に装着者の個人情報を保存する場合には、サーバへアクセスする際に、ＩＤおよびパスワードの入力を必要とすることなどにより、装着者の個人情報をより堅牢に保護することができる。
【００３０】
個人情報を呼び出すための情報としては、特に制限されないが、例えば、サーバのＩＰアドレスの他、ＵＲＬ、サーバパスなどが挙げられる。
【００３１】
図１〜５においては、ヘルメット１は、帽体１０と、つば１１と、ハンモック１２と、衝撃吸収ライナー１３と、あごひも１４とを備えている。
【００３２】
帽体１０は、装着者の頭部を覆うことで、衝撃を受け止め、衝撃を分散させる役目を有する。
帽体１０の素材としては、特に制限されないが、例えば、ＦＲＰ（ガラス繊維強化プラスチック）、ＡＢＳ樹脂、ＰＣ（ポリカーボネート）などが挙げられる。
【００３３】
つば１１は、飛来落下物（雨などを含む）や前面の障害物から装着者を保護する役目を有する。
つば１１の素材としては、特に制限されないが、一般的には帽体１０と同じ素材が用いられる。
【００３４】
ハンモック１２は、装着者の頭部をヘルメット１全体に固定し、衝撃を吸収する役目を有する。ハンモック１２と帽体１０の間には、通常数ｃｍの隙間が空けられており、この隙間によって衝撃を吸収することができる。
【００３５】
ハンモック１２は、結合部１２ａと貫通孔１２ｂとを有する。
結合部１２ａは、ハンモック１２と帽体１０とを固定する役目を有するものである。貫通孔１２ｂは、通気をする役割を有するものであり、装着者がヘルメット１を装着した際に、装着者の頭部が蒸れることを防ぐ役割を有する。
【００３６】
ハンモック１２の素材としては、特に制限されないが、例えば、プレスチック製、布製などが挙げられる。
【００３７】
衝撃吸収ライナー１３は、帽体１０とハンモック１２との間に設置されることで、ヘルメットの装着者が墜落したり転倒したりした際に、装着者自身の重さにより装着者の頭部を損傷することを防ぐ役目を有する。
【００３８】
衝撃吸収ライナー１３の素材としては、特に制限されないが、例えば、発泡スチロールなどの衝撃吸収材からなるものである
【００３９】
あごひも１４は、装着者の頭部をヘルメット１に固定し、ヘルメット１が脱落するのを防ぐ役目を有する。
あごひも１４は、ひも１４ａと留め具１４ｂからなる。ひも１４ａや留め具１４ｂの形状や素材は、ヘルメット１の脱落を防ぐという役目を達成できるものであれば特に制限されない。
【００４０】
図１の例では、ヘルメット１は、帽体１０の後頭部にコード１００を有しているが、コード１００の位置は特に制限されない。
【００４１】
コード１００は、ヘルメット１に直接印刷してもよく、コード１００を印刷したシールをヘルメット１に貼付してもよいが、よりコード１００が剥がれにくい点から、印刷する方法が好ましい。
【００４２】
コード１００を印刷する方法としては、特に制限されないが、より微細な印刷が可能な点から、シルクスクリーン印刷が好ましい。コード１００を印刷に微細にすることができれば、コード１００により多くの情報を含めることができる。
【００４３】
ヘルメットの素材、形状、メーカーなどは特に制限されず、一般に市販されているものに、コードを付与することで、本考案の実施形態のヘルメットとすることができる。
【００４４】
ヘルメットは、一般的には、飛来物や落下物から頭部を保護する飛来・落下物用ヘルメットと、墜落時保護用ヘルメットとの２つに大別される。特に、墜落時保護用ヘルメットは、ヘルメットの内部に装着者の頭部を保護する衝撃吸収ライナー１３が必須の部材である。
【００４５】
以上、本考案の実施形態について説明したが、本考案は、上述の実施形態に限定されるものではなく、本考案の目的を達成できる範囲での変形、改良等は本考案に含まれるものである。また、本実施形態に記載された効果は、本考案から生じる最も好適な効果を列挙したに過ぎず、本考案による効果は、本実施形態に記載されたものに限定されるものではない。
【符号の説明】
【００４６】
１・・・ヘルメット、１０・・・帽体、１１・・・つば、１２・・・ハンモック、１２ａ・・・結合部、１２ｂ・・・貫通孔、１３・・・衝撃吸収ライナー、１４・・・あごひも、１４ａ・・・ひも、１４ｂ・・・留め具、１００・・・コード
【図１】
0003216947.tif 000003
【図２】
0003216947.tif 000004
【図３】
0003216947.tif 000005
【図４】
0003216947.tif 000006
【図５】
0003216947.tif 000007